(57)【要約】【課題】簡便に製造することが可能であるとともに、容易に解体することが可能な衛生用紙収納用カートンを提供する。【解決手段】本発明の衛生用紙収納用カートン１は、上面２、底面４、一対の側面６、及び一対の妻面８を有する形状に折り曲げられ、これらの面によって区画された、衛生用紙の束を収納し得る内部空間が形成された箱状をなすとともに、衛生用紙の取出口２４の外周形状と一致するように取出口形成用切り込み線１４が形成された衛生用紙収納用カートン１であって、上面２、底面４、及び一対の側面６ａ，６ｂのそれぞれの端縁から延出された４つのロック式フラップ２６を備え、その４つのロック式フラップ２６が内側に折り曲げられ、重なり合う状態で係合されることによって妻面８が形成されている。【選択図】図１
2008127065.tif 000002
【特許請求の範囲】
【請求項１】
上面、底面、一対の側面、及び一対の妻面を有する形状に折り曲げられ、これらの面によって区画された、衛生用紙の束を収納し得る内部空間が形成された箱状をなすとともに、前記衛生用紙の取出口の外周形状と一致するように取出口形成用切り込み線が形成された衛生用紙収納用カートンであって、
前記上面、前記底面、及び前記一対の側面のそれぞれの端縁から延出された４つのロック式フラップを備え、その前記４つのロック式フラップが内側に折り曲げられ、重なり合う状態で係合されることによって前記妻面が形成されている衛生用紙収納用カートン。
【請求項２】
前記妻面が接着剤により接合されていない請求項１に記載の衛生用紙収納用カートン。
【請求項３】
前記４つのロック式フラップのうちの少なくとも一のロック式フラップは、その先端部に係合用の突出片を有し、前記一のロック式フラップの前記突出片が他のロック式フラップの裏側に挿入されて、前記４つのロック式フラップが係合されることによって前記妻面が形成されている請求項１又は２に記載の衛生用紙収納用カートン。
【請求項４】
前記４つのロック式フラップが、
前記上面、前記底面、及び前記一対の側面のうちの一の面から延出され、その先端部に前記突出片を有する第一のロック式フラップと、
前記一の面に相対向する面から延出され、前記第一のロック式フラップの前記突出片を挿入するための切り欠き部が形成された第二のロック式フラップと、
前記一の面に隣接する二つの面から延出される第三及び第四のロック式フラップと、からなり、
前記第二のロック式フラップが延出される面に垂直となるように内側に折り曲げられた前記第二のロック式フラップの外側に、前記第三及び第四のロック式フラップ、次いで前記第一のロック式フラップの順番で内側に折り曲げられ、且つ前記第一のロック式フラップの前記突出片が、前記第二のロック式フラップの前記切り欠き部から前記第二のロック式フラップの裏側に挿入されて、前記４つのロック式フラップが係合されることによって前記妻面が形成されている請求項３に記載の衛生用紙収納用カートン。
【請求項５】
前記第三及び第四のロック式フラップの先端部に鉤状の係止片が形成され、この前記係止片が前記第二のロック式フラップの裏側に挿入されて係止されている請求項４に記載の衛生用紙収納用カートン。
【請求項６】
前記衛生用紙収納用カートンは、前記取出口を形成する面の内側に、前記取出口を被覆するウインドウフィルムが配設されていないフィルムレスカートンである請求項１〜５のいずれか一項に記載の衛生用紙収納用カートン。
【請求項７】
請求項１〜６のいずれか一項に記載の衛生用紙収納用カートンと、前記衛生用紙収納用カートンの内部空間に収納された衛生用紙の束とを備えた衛生用紙入りカートン。
【請求項８】
上面、底面、一対の側面、及び一対の妻面を有する形状に折り曲げられ、これらの面によって区画された、衛生用紙の束を収納し得る内部空間が形成された箱状をなすとともに、前記衛生用紙の取出口の外周形状と一致するように取出口形成用切り込み線が形成された衛生用紙収納用カートンと、前記衛生用紙収納用カートンの前記内部空間に収納された衛生用紙の束とを備えた衛生用紙入りカートンを製造する方法であって、
前記上面、前記底面、及び前記一対の側面を有するとともに、前記上面と前記底面と前記一対の側面のそれぞれの端縁から４つのロック式フラップが延出された角筒状カートンを形成する工程と、
前記角筒状カートンの開放された妻面側から前記衛生用紙の束を挿入して、前記角筒状カートンの内部空間に前記衛生用紙の束を収納する工程と、
前記衛生用紙の束を収納した前記角筒状カートンの前記４つのロック式フラップを内側に折り曲げて、前記４つのロック式フラップの重なり合った部位を、前記角筒状カートンの内側に押し込むことによって前記４つのロック式フラップを係合させて前記妻面を形成する工程と、を備えた衛生用紙入りカートンの製造方法。
【請求項９】
前記４つのロック式フラップの少なくとも一のロック式フラップが、その先端部に係合用の突出片を有する前記角筒状カートンを形成し、
前記角筒状カートンの他のロック式フラップを内側に折り曲げ、折り曲げた前記他のロック式フラップの外側に前記一のロック式フラップを重なり合うように折り曲げて、前記一のロック式フラップの前記突出片を前記角筒状カートンの内側に押し込むことにより前記突出片を前記他のロック式フラップの裏側に挿入させて、前記４つのロック式フラップを係合させて前記妻面を形成する請求項８に記載の衛生用紙入りカートンの製造方法。
【請求項１０】
前記４つのロック式フラップが、
前記上面、前記底面、及び前記一対の側面のうちの一の面から延出され、その先端部に前記突出片を有する第一のロック式フラップと、
前記一の面に対向する面から延出され、前記第一のロック式フラップの前記突出片を差し込むための切り欠き部が形成された第二のロック式フラップと、
前記一の面に隣接する二つの面から延出される第三及び第四のロック式フラップと、からなる前記角筒状カートンを形成し、
前記第二のロック式フラップを内側に折り曲げ、折り曲げた前記第二のロック式フラップの外側に、前記第三及び第四のロック式フラップ、次いで前記第一のロック式フラップの順番で折り曲げて、折り曲げた前記第一のロック式フラップの前記突出片を前記角筒状カートンの内側に押し込むことにより前記突出片を前記第二のロック式フラップの前記切り欠き部から前記第二のロック式フラップの裏側に挿入させて、前記４つのロック式フラップを係合させて前記妻面を形成する請求項９に記載の衛生用紙入りカートンの製造方法。
【請求項１１】
前記第三及び第四のロック式フラップが、その先端部に鉤状の係止片を有する前記角筒状カートンを形成し、
前記第一のロック式フラップの前記突出片を前記角筒状カートンの内側に押し込む前又は押し込む際に、鉤状の前記係止片を前記第二のロック式フラップの裏側に挿入して係止させて前記第三及び第四のロック式フラップを固定する請求項１０に記載の衛生用紙入りカートンの製造方法。
【発明の詳細な説明】
【技術分野】
【０００１】
本発明は衛生用紙収納用カートン、衛生用紙入りカートン及びその製造方法に関する。更に詳しくは、簡便に製造することが可能であるとともに、容易に解体することが可能な衛生用紙収納用カートン、この衛生用紙収納用カートンの内部空間に衛生用紙の束が収納された衛生用紙入りカートン及びその製造方法に関する。
【背景技術】
【０００２】
一般に、家庭やオフィス等で広く使われているティシュペーパーは、概ね直方体の箱（以下、「カートン」ともいう）の内部空間に収納された形で市販されている（例えば、特許文献１及び２参照）。使用者は、ティシュペーパーを使用するに際し、箱の一面（通常は箱の上面）に設けられている所定形状のミシン目（取出口形成用切り込み線）を切り離すことによって、箱に細長い取出口を形成することができる。
【０００３】
例えば、特許文献１には、上記したカートンとして、図８に示すようなティシュペーパー収納箱１２０が開示されている。このティシュペーパー収納箱１２０は、取出口１２４を有する天板１２１と、底板１２２と、二つの側板１２３とを備えており、その二つの側板１２３の一方の端縁には、図示しない一対の内フラップが折曲げ線を介して連接されており、他方の端縁も同様に一対の内フラップが折曲げ線を介して連接されている。
【０００４】
また、天板１２１と底板１２２との一方の端縁には、一対の外フラップ１２５ａ，１２５ｂが折り曲げ線１２６ａ，１２６ｂを介して連接されており、他方の端縁も同様に一対の外フラップ１２５ａ，１２５ｂが折り曲げ線１２６ａ，１２６ｂを介して連接されている。これらの一対の内フラップ（図示せず）及び外フラップ１２５ａ，１２５ｂは、外フラップ１２５ａ，１２５ｂの一方の先端部分に一直線状に一定の幅に塗布された接着剤ｇによって接着させることにより妻面を形成している。
【０００５】
このようなティシュペーパー収納箱１２０を使用後に廃棄する際には、妻面にある外フラップ１２５ｂを、円弧状の解体用ミシン線１２８に沿って押し破り、挿入した指で外フラップ１２５ａを内側から外側に向かって引張ることによって、外フラップ１２５ａを外フラップ１２５ｂ及び一対の内フラップ（図示せず）から引き剥がして解体を行うことができる。
【特許文献１】特開２００２−２９５８０号公報
【特許文献２】実公昭６２−７５４０号公報
【発明の開示】
【発明が解決しようとする課題】
【０００６】
しかしながら、このような従来のカートンは、外フラップの重ね合わせた部分が接着剤によって接合されているため、使用済みの空のカートンを廃棄する際には、この接合部分を強く引張って剥離させなければならず、カートンの解体がし難いという問題があった。また、その製造に関しても、接着剤等を用いて外フラップを接合しなければならないため、製造工程が煩雑であるとともに、カートンを組み立てるための接着剤の使用量が多く製造コストが掛かること、また、接着剤を塗布する装置のメンテナンスを必要とする等の問題があった。さらに、従来のティシュペーパー用のカートンは、中身のティシュを充填した後、端部の妻面を閉じる際に、ホットメルト等の接着剤で封緘する方法であるが、接着剤の打ち方がずれて、中身のティシュを汚したり、カートン外面の印刷面を汚したり、接着不良が発生したりする恐れがあった。
【０００７】
本発明は、上述した問題に鑑みてなされたものであり、簡便に製造することが可能であるとともに、容易に解体することが可能な衛生用紙収納用カートン、衛生用紙入りカートン及びその製造方法を提供する。
【課題を解決するための手段】
【０００８】
本発明者は上記課題を解決するために鋭意検討した結果、上面、底面、及び一対の側面のそれぞれ端縁から延出する４つのロック式フラップを用いて、ホットメルト接着剤等を使用せずに、これらの４つのロック式フラップを内側に折り曲げ、重なり合う状態で係合させることによりカートンの妻面を形成することによって、上記課題を解決することが可能であることを見出し、本発明を完成するに至った。即ち、本発明によれば、以下に示す衛生用紙収納用カートン、衛生用紙入りカートン及びその製造方法が提供される。
【０００９】
［１］  上面、底面、一対の側面、及び一対の妻面を有する形状に折り曲げられ、これらの面によって区画された、衛生用紙の束を収納し得る内部空間が形成された箱状をなすとともに、前記衛生用紙の取出口の外周形状と一致するように取出口形成用切り込み線が形成された衛生用紙収納用カートンであって、前記上面、前記底面、及び前記一対の側面のそれぞれの端縁から延出された４つのロック式フラップを備え、その前記４つのロック式フラップが内側に折り曲げられ、重なり合う状態で係合されることによって前記妻面が形成されている衛生用紙収納用カートン。
【００１０】
［２］  前記妻面が接着剤により接合されていない前記［１］に記載の衛生用紙収納用カートン。
【００１１】
［３］  前記４つのロック式フラップのうちの少なくとも一のロック式フラップは、その先端部に係合用の突出片を有し、前記一のロック式フラップの前記突出片が他のロック式フラップの裏側に挿入されて、前記４つのロック式フラップが係合されることによって前記妻面が形成されている前記［１］又は［２］に記載の衛生用紙収納用カートン。
【００１２】
［４］  前記４つのロック式フラップが、前記上面、前記底面、及び前記一対の側面のうちの一の面から延出され、その先端部に前記突出片を有する第一のロック式フラップと、前記一の面に相対向する面から延出され、前記第一のロック式フラップの前記突出片を挿入するための切り欠き部が形成された第二のロック式フラップと、前記一の面に隣接する二つの面から延出される第三及び第四のロック式フラップと、からなり、前記第二のロック式フラップが延出される面に垂直となるように内側に折り曲げられた前記第二のロック式フラップの外側に、前記第三及び第四のロック式フラップ、次いで前記第一のロック式フラップの順番で内側に折り曲げられ、且つ前記第一のロック式フラップの前記突出片が、前記第二のロック式フラップの前記切り欠き部から前記第二のロック式フラップの裏側に挿入されて、前記４つのロック式フラップが係合されることによって前記妻面が形成されている前記［３］に記載の衛生用紙収納用カートン。
【００１３】
［５］  前記第三及び第四のロック式フラップの先端部に鉤状の係止片が形成され、この前記係止片が前記第二のロック式フラップの裏側に挿入されて係止されている前記［４］に記載の衛生用紙収納用カートン。
【００１４】
［６］  前記衛生用紙収納用カートンは、前記取出口を形成する面の内側に、前記取出口を被覆するウインドウフィルムが配設されていないフィルムレスカートンである前記［１］〜［５］のいずれかに記載の衛生用紙収納用カートン。
【００１５】
［７］  前記［１］〜［６］のいずれかに記載の衛生用紙収納用カートンと、前記衛生用紙収納用カートンの内部空間に収納された衛生用紙の束とを備えた衛生用紙入りカートン。
【００１６】
［８］  上面、底面、一対の側面、及び一対の妻面を有する形状に折り曲げられ、これらの面によって区画された、衛生用紙の束を収納し得る内部空間が形成された箱状をなすとともに、前記衛生用紙の取出口の外周形状と一致するように取出口形成用切り込み線が形成された衛生用紙収納用カートンと、前記衛生用紙収納用カートンの前記内部空間に収納された衛生用紙の束とを備えた衛生用紙入りカートンを製造する方法であって、前記上面、前記底面、及び前記一対の側面を有するとともに、前記上面と前記底面と前記一対の側面のそれぞれの端縁から４つのロック式フラップが延出された角筒状カートンを形成する工程と、前記角筒状カートンの開放された妻面側から前記衛生用紙の束を挿入して、前記角筒状カートンの内部空間に前記衛生用紙の束を収納する工程と、前記衛生用紙の束を収納した前記角筒状カートンの前記４つのロック式フラップを内側に折り曲げて、前記４つのロック式フラップの重なり合った部位を、前記角筒状カートンの内側に押し込むことによって前記４つのロック式フラップを係合させて前記妻面を形成する工程と、を備えた衛生用紙入りカートンの製造方法。
【００１７】
［９］  前記４つのロック式フラップの少なくとも一のロック式フラップが、その先端部に係合用の突出片を有する前記角筒状カートンを形成し、前記角筒状カートンの他のロック式フラップを内側に折り曲げ、折り曲げた前記他のロック式フラップの外側に前記一のロック式フラップを重なり合うように折り曲げて、前記一のロック式フラップの前記突出片を前記角筒状カートンの内側に押し込むことにより前記突出片を前記他のロック式フラップの裏側に挿入させて、前記４つのロック式フラップを係合させて前記妻面を形成する前記［８］に記載の衛生用紙入りカートンの製造方法。
【００１８】
［１０］  前記４つのロック式フラップが、前記上面、前記底面、及び前記一対の側面のうちの一の面から延出され、その先端部に前記突出片を有する第一のロック式フラップと、前記一の面に対向する面から延出され、前記第一のロック式フラップの前記突出片を差し込むための切り欠き部が形成された第二のロック式フラップと、前記一の面に隣接する二つの面から延出される第三及び第四のロック式フラップと、からなる前記角筒状カートンを形成し、前記第二のロック式フラップを内側に折り曲げ、折り曲げた前記第二のロック式フラップの外側に、前記第三及び第四のロック式フラップ、次いで前記第一のロック式フラップの順番で折り曲げて、折り曲げた前記第一のロック式フラップの前記突出片を前記角筒状カートンの内側に押し込むことにより前記突出片を前記第二のロック式フラップの前記切り欠き部から前記第二のロック式フラップの裏側に挿入させて、前記４つのロック式フラップを係合させて前記妻面を形成する前記［９］に記載の衛生用紙入りカートンの製造方法。
【００１９】
［１１］  前記第三及び第四のロック式フラップが、その先端部に鉤状の係止片を有する前記角筒状カートンを形成し、前記第一のロック式フラップの前記突出片を前記角筒状カートンの内側に押し込む前又は押し込む際に、鉤状の前記係止片を前記第二のロック式フラップの裏側に挿入して係止させて前記第三及び第四のロック式フラップを固定する前記［１０］に記載の衛生用紙入りカートンの製造方法。
【発明の効果】
【００２０】
本発明の衛生用紙収納用カートン及び衛生用紙入りカートンは、カートンの妻面が接着剤によって接合されておらず、内側に折り曲げられた４つのロック式フラップが重なり合う状態で係合されることによって形成されているため、カートンの製造が簡便であるとともに、容易に解体することができる。このため、例えば、使用済みの空のカートンを廃棄する際には、妻面を形成するロック式フラップの係合部分を解除することにより、カートンの妻面を容易に開放することができ、簡単に使用済みのカートンを折り畳んで廃棄することができる。また、接着剤を使用しないで妻面を形成することができるため、製造時の接着剤の総使用量を少なくすることができ、低コストに且つ簡単な設備で製造することができる。さらに、中身のティシュを充填した後、端部の妻面を閉じる際に、ホットメルト等の接着剤で封緘する必要がないため、接着剤の打ち方がずれて、中身のティシュを汚したり、カートン外面の印刷面を汚したり、接着不良が発生したりする恐れがない。
【００２１】
また、上記したように妻面が接着剤等によって接合されていないため、ロック式フラップを損傷させることなく係合部分を解除することができ、例えば、妻面を開放した使用済みのカートンの内部空間に、詰め替え用の衛生用紙の束を収納し、再度ロック式フラップを係合させることによって、カートンの再使用が可能となる。
【００２２】
また、本発明の衛生用紙入りカートンの製造方法は、上記した本発明の衛生用紙入りカートンを簡便且つ低コストに製造することができる。
【発明を実施するための最良の形態】
【００２３】
以下、本発明を実施するための最良の形態について説明するが、本発明は以下の実施の形態に限定されるものではない。即ち、本発明の趣旨を逸脱しない範囲で、当業者の通常の知識に基づいて、以下の実施の形態に対し適宜変更、改良等が加えられたものも本発明の範囲に属することが理解されるべきである。
【００２４】
［１］衛生用紙収納用カートン：
本発明の衛生用紙収納用カートンは、例えば、図１に示すように、上面２、底面４、一対の側面６（６ａ，６ｂ）、及び一対の妻面８（８ａ，８ｂ）を有する形状に折り曲げられ、これらの面によって区画された、衛生用紙の束を収納し得る内部空間が形成された箱状をなすとともに、衛生用紙の取出口２４の外周形状と一致するように取出口形成用切り込み線１４が形成された衛生用紙収納用カートン１であって、上面２、底面４、及び一対の側面６（６ａ，６ｂ）のそれぞれの端縁から延出された４つのロック式フラップ２６（２６ａ，２６ｂ，２６ｃ，２６ｄ）を備え、その４つのロック式フラップ２６が内側に折り曲げられ、重なり合う状態で係合されることによって妻面８が形成されている衛生用紙収納用カートン１である。
【００２５】
本発明の衛生用紙収納用カートンは、カートンの妻面が接着剤によって接合されておらず、内側に折り曲げられた４つのロック式フラップが重なり合う状態で係合されることによって妻面が形成されているため、カートンの製造が簡便であるとともに、容易に解体することができる。このため、例えば、使用済みの空のカートンを廃棄する際には、妻面を形成するロック式フラップの係合部分を解除することにより、カートンの妻面を容易に開放することができ、簡単に使用済みのカートンを折り畳んで廃棄することができる。また、妻面を形成する際に接着剤を使用しないため、製造時の接着剤の使用量を少なくすることができ、低コストに且つ簡単な設備で製造することができる。さらに、中身のティシュを充填した後、端部の妻面を閉じる際に、ホットメルト等の接着剤で封緘する必要がないため、接着剤の打ち方がずれて、中身のティシュを汚したり、カートン外面の印刷面を汚したり、接着不良が発生したりする恐れがない。
【００２６】
また、従来のカートンのように、妻面が接着剤等によって接合されていないため、ロック式フラップを損傷させることなく係合部分を解除することができ、例えば、妻面を開放した使用済みのカートンの内部空間に、詰め替え用の衛生用紙の束を収納し、再度ロック式フラップを係合させることによって、カートンの再使用が可能となる。
【００２７】
なお、４つのロック式フラップによって箱状の包装箱の一面を形成する技術については、例えば、所謂、ロックボトム型の包装箱等に用いられているが、このようなロックボトム型の包装箱は、４つのロック式フラップによって形成される面が包装箱の底面であり、その内部空間に内容物を収納していない空の状態でロック式フラップを係合させて包装箱を組み立てるものである。即ち、このような従来の包装箱は、その内部空間に内容物を収納した状態でロック式フラップの開閉を行うことはない。
【００２８】
本発明の衛生用紙収納用カートンにおいては、箱状のカートンの側方の一面をなす妻面が４つのロック式フラップによって形成されており、例えば、その内部空間に衛生用紙の束（以下、「衛生用紙束」ということがある）が収納された衛生用紙入りカートンを製造する際には、図２に示すように、まず、妻面側が開放された角筒状カートン１０１を形成し、この角筒状カートン１０１の開放された妻面側から衛生用紙の束１０３を挿入して、その内部空間に衛生用紙の束１０３を収納し、その後、衛生用紙の束１０３を収納した状態で、角筒状カートン１０１の４つのロック式フラップ２６を内側に折り曲げて、４つのロック式フラップ２６の重なり合った部位を、角筒状カートン１０１の内側に押し込むことによって４つのロック式フラップ２６を係合させる。このようにして、図１に示すような妻面８を形成することができる。
【００２９】
特に、本発明の衛生用紙収納用カートンにおいては、その内部空間に収納する収納物が柔軟性を有する衛生用紙の束であることから、上記したように、角筒状カートンの内部空間に衛生用紙の束を収納した状態でも、４つのロック式フラップの重なり合った部位を、角筒状カートンの内側に押し込むことによって４つのロック式フラップを簡便に係合させることができる。
【００３０】
なお、上記した「箱状」とは、上面、底面、一対の側面、及び一対の妻面を有する形状に折り曲げられ、これらの面によって区画された、衛生用紙の束を収納し得る内部空間が形成される形状である。このような形状としては、例えば、直方体状、立方体状等の六面体状を挙げることができる。これらの形状では、上面と底面、一の側面と他の側面、一の妻面と他の妻面が対向するように平行に配置される。これらの形状の中では、直方体状が好ましい。例えば、図１に示す衛生用紙収納用カートン１は、その上面における側面６側を長辺、妻面８側を短辺とする直方体状に構成した例である。なお、これらの形状において、二つの面の稜線部分を面取りしたものも、本明細書にいう「箱状」に含まれる。
【００３１】
本発明の衛生用紙収納用カートンは、例えば、紙材料等からなるカートンブランクを折り曲げることによって、上面、底面、一対の側面を有するとともに、上面と底面と一対の側面のそれぞれの両端縁から、それぞれ４つのロック式フラップが延出された角筒状カートンが形成され、この角筒状カートンの４つのロック式フラップを内側に折り曲げて、重なり合う状態で係合させることによって形成される。図３に示すカートンブランク１００は、一枚の紙材料によって、折曲線を介して上面２、底面４、一対の側面６（６ａ，６ｂ）が形成されており、上面２、底面４、一対の側面６ａ，６ｂのそれぞれの端縁からは、折曲線を介して４つのロック式フラップ２６（２６ａ，２６ｂ，２６ｃ，２６ｄ）が延出されている。なお、４つのロック式フラップ２６を係合させることによって１つの妻面が形成されるため、このカートンブランク１００には、一対の妻面を形成するための合計８つのロック式フラップ２６が形成されている。
【００３２】
また、このカートンブランク１００の底面４の一の側縁部からは、折曲線を介して、側面接合代３２が延出されている。このようなカートンブランク１００は、各折曲線を折り曲げ、側面接合代３２と側面６を接合して角筒状カートンを形成した後、それぞれ４つのロック式フラップ２６を係合させて一対の妻面８ａ、８ｂを形成することができる。こうすることにより、カートンブランク１００を、図１に示すような衛生用紙収納用カートン１とすることができる。
【００３３】
本発明の衛生用紙収納用カートンは、上面、底面、一対の側面、及び一対の妻面によって区画された内部空間が形成される。この内部空間は、衛生用紙の束を収納するための空間である。この内部空間に収納する衛生用紙の種類について特に制限はなく、例えば、ティシュペーパー（顔ふき紙、化粧紙等と呼ばれるもの）、保湿ティシュ、ちり紙、ペーパータオル（キッチンペーパー等）、トイレットペーパー（ロールを除く）、ワッティング（紙綿）、等の使い捨て紙（例えば、紙パルプ技術便覧第５版、第４５９頁参照、１９９２年１月３０日発行、紙パルプ技術協会編集・発行）等を挙げることができる。
【００３４】
中でも、一の衛生用紙が折り畳まれ、その折り返し部分に他の衛生用紙が挟み込まれた状態で折り畳まれることによって、複数枚の衛生用紙が連続的に積層された衛生用紙束を前記内部空間に収納することが好ましい。このような積層構造の衛生用紙は、最上層の衛生用紙を取り出すことにより、これに挟み込まれていた次層の衛生用紙の一部が取出口から突出し、衛生用紙の取り出しが容易なものとなる利点がある（いわゆるポップアップ方式）。
【００３５】
本発明の衛生用紙収納用カートンを構成する材質について特に制限はない。但し、箱体を折り曲げ形成する都合上、厚紙等の紙材料を構成材料とすることが好ましい。一般に、これらの紙材料としては、例えば、木材パルプ、古紙等を原料として製造されたものを好適に用いることができる。
【００３６】
なお、本発明の衛生用紙収納用カートンは、上記したように、妻面を開放した使用済みのカートンの内部空間に、詰め替え用の衛生用紙束を収納し、再度ロック式フラップを係合させることによってカートンの再使用が可能であるため、例えば、再使用に耐え得るように、耐久性の高い厚紙等の紙材料や、その表面にコーティング等を施した厚紙等の紙材を用いることが好ましい。具体的には、表面にラミネートを施したものや、カートンを構成する紙材の表面、裏面ともラミネートを施したものを挙げることができる。このように構成することによって、ヒートシールでカートンの密封性を上げることができる。また、このように構成することによって、保湿ティシュなどの場合水分の蒸発を抑えることが可能となり、保湿性能の低下を防ぐことも可能となる。また、紙材料としては、その表面が波打ったものや、表面に剥離性シリコンが塗布されたものを用いてもよい。例えば、剥離性シリコンが塗布されたものを用いることにより、汚れがつきにくくなる。また、その表面に加工を施して、ホワイトボードのように水性インク等で繰り返し文字等を記載できるように構成してもよい。
【００３７】
また、この衛生用紙収納用カートンは、その表面、特に上面や一対の側面に審美性や意匠性の高いデザインを付与して、例えば、高級感のある衛生用紙収納用カートンとしてもよい。このように構成することによって、使用者の再使用に対する意識を向上させることができる。
【００３８】
［１−１］ロック式フラップ：
本発明の衛生用紙収納用カートンは、上面、底面、及び一対の側面のそれぞれの端縁から延出された４つのロック式フラップを備え、その４つのロック式フラップが内側に折り曲げられ、重なり合う状態で係合されることによって妻面が形成されている。なお、図２に示すように、このロック式フラップ２６は、上面２、底面４、一対の側面６ａ，６ｂのそれぞれの両端縁から延出されているため、１つの衛生用紙収納用カートン１（図１参照）に合計８つのロック式フラップ２６が形成されている。
【００３９】
「ロック式フラップ」とは、４つのフラップを組み合わせて妻面を形成する際に、接着剤等を使わないで、決められた手順で４つのフラップを重なり合うように折り曲げ、この重なり合った部位を内側に押し込むことによって、４つのフラップを係合（ロック）させることが可能なロック機構を有するフラップ（包装産業の周知・慣用技術集第１９２，１９３頁参照、昭和５３年１２月２０日特許庁発行）のことである。例えば、このようなロック式フラップとしては、包装業界でセミオートマチックボトムカートンや地獄底カートン等と呼称されている包装箱の底面に用いられているロック式フラップを好適例として挙げることができる。
【００４０】
本発明の衛生用紙収納用カートンは、このような４つのロック式フラップを用いて妻面が形成されているため、簡便に製造することができるとともに、容易に解体することができる。特に、その内部に収納する衛生用紙の束は柔軟性を有するものであるため、カートンの内部空間に衛生用紙の束を収納した状態でも、４つのロック式フラップの重なり合った部位をカートンの内側に押し込むことによって４つのロック式フラップを簡便に係合させることができる。
【００４１】
本発明の衛生用紙収納用カートンに用いられるロック式フラップの形状については、接着剤等を使わないで、４つのフラップを係合（ロック）させて妻面を形成することができるものであれば特に制限はないが、例えば、図２に示すように、４つのロック式フラップ２６のうちの少なくとも一のロック式フラップ２６ａが、その先端部に係合用の突出片３４を有し、この一のロック式フラップ２６ａの突出片３４が他のロック式フラップ（図１においては、一のロック式フラップ２６ａが延出する面に相対向する面から延出したロック式フラップ２６ｂ）の裏側に挿入されて、４つのロック式フラップ２６が係合されることによって妻面８（図１参照）が形成されるものであることが好ましい。
【００４２】
このように、４つのロック式フラップのうちの少なくとも一のロック式フラップが、上記突出片等のロック機構を有していれば、例えば、それ以外の他のロック式フラップが特別なロック機構を有していない場合であっても、一のロック式フラップのロック機構によって他のロック式フラップが外側から抑え付けられて固定されるため、簡易な構造でありながら４つのロック式フラップを強固に係合させることができる。
【００４３】
また、このようなロック式フラップは、妻面が開放された角筒状カートンにおいて、この角筒状カートンの形状、特に、その内部空間の形状を変形させることなく、４つのロック式フラップを係合させることができるため、収納物の有無に関わらず、具体的には、衛生用紙収納用カートンの内部空間に衛生用紙束を収納した状態であっても、内部空間の形状を維持したまま４つのロック式フラップを係合させて妻面を形成することができる。
【００４４】
なお、本発明の衛生用紙収納用カートンにおいては、図２に示すように、４つのロック式フラップ２６が、上面２、底面４、及び一対の側面６ａ，６ｂのうちの一の面（図２においては、上面２）から延出され、その先端部に上記突出片３４を有する第一のロック式フラップ２６ａと、一の面（上面２）に相対向する面（図２においては、底面４）から延出され、第一のロック式フラップ２６ａの突出片３４を挿入するための切り欠き部３５が形成された第二のロック式フラップ２６ｂと、一の面（上面２）に隣接する二つの面（図２においては、一対の側面６ａ，６ｂ）から延出される第三のロック式フラップ２６ｃ及び第四のロック式フラップ２６ｄと、からなるものであってもよい。
【００４５】
４つのロック式フラップ２６が上記したように構成されている場合には、図４の（ａ）及び（ｂ）に示すように、第二のロック式フラップ２６ｂが、この第二のロック式フラップ２６ｂが延出される面に垂直となるように内側に折り曲げられ、図４の（ｃ）及び（ｄ）に示すように、折り曲げられた第二のロック式フラップ２６ｂの外側に、第三及び第四のロック式フラップ２６ｃ，２６ｄ、次いで第一のロック式フラップ２６ａの順番で内側に折り曲げられ、図４の（ｅ）に示すように、第一のロック式フラップ２６ａの突出片３４が、第二のロック式フラップ２６ｂの切り欠き部３５から第二のロック式フラップ２６ｂの裏側に挿入されて、４つのロック式フラップ２６ａ，２６ｂ，２６ｃ，２６ｄが係合されることによって妻面８が形成されていることが好ましい。ここで、図４は、本発明の衛生用紙収納用カートン一の実施形態における、４つのロック式フラップを係合させる工程を説明する図であり、カートンの妻面側を示す平面図である。なお、図４においては、その内部空間に衛生用紙の束１０３を収納した状態で４つのロック式フラップ２６ａ，２６ｂ，２６ｃ，２６ｄを係合させる例を示している。
【００４６】
この第一のロック式フラップ２６ａの突出片３４を第二のロック式フラップ２６ｂの裏側に挿入する際には、例えば、４つのロック式フラップ２６が重なり合った状態で、第一のロック式フラップ２６ａの突出片３４をカートンの内側に押し込むことで実現することができる。これにより、第一のロック式フラップ２６ａの内側に折り曲げられている第二〜第四のロック式フラップ２６ｂ，２６ｃ，２６ｄも内側に一端押し込まれるか或いはこれらが弾性的に変形することにより、第一のロック式フラップ２６ａの突出片３４が切り欠き部３５の先端を乗り越えて第二のロック式フラップ２６ｂの裏側に配置されて、４つのロック式フラップ２６ａ，２６ｂ，２６ｃ，２６ｄが係合される。
【００４７】
このように構成することによって、４つのロック式フラップを簡便且つ強固に係合させることができる。また、４つのロック式フラップの係合を解除する際には、第二のロック式フラップの裏側に挿入されている第一のロック式フラップの突出片を引き抜くだけで、簡便に解除することができる。
【００４８】
また、上記した第三及び第四のロック式フラップ２６ｃ，２６ｄにおいては、図４の（ａ）〜（ｅ）に示すように、その先端部に鉤状の係止片３６が形成され、この係止片３６が第二のロック式フラップ２６ｂの裏側に挿入されて係止されていることが好ましい。この係止片３６は、第一のロック式フラップ２６ａの突出片３４を第二のロック式フラップ２６ｂの裏側に押し込む前又は押し込む際に、鉤状の係止片３６を第二のロック式フラップ２６ｂの裏側に挿入して係止させて第三及び第四のロック式フラップ２６ｃ，２６ｄを固定することができる。このように構成することによって、簡易な構造でありながら４つのロック式フラップをより強固に係合させることができる。
【００４９】
なお、第三及び第四のロック式フラップは、上記したように鉤状の係止片３６が形成されていなくともよい。例えば、図４の（ａ）〜（ｅ）に示す第三及び第四のロック式フラップ２６ｃ，２６ｄの延出部位から斜めに切れ上がる線を延長させて、係止片３６が形成されていないロック式フラップとしてもよい。このような第三及び第四のロック式フラップを用いたとしても、第三及び第四のロック式フラップを第一のロック式フラップよりも内側に折り込み、この第一のロック式フラップによって外側から抑え付けて固定することにより、４つのロック式フラップを強固に係合させることができる。
【００５０】
［１−２］取出口形成用切り込み線：
「取出口形成用切り込み線」とは、衛生用紙の取出口の外周形状と一致するように形成された切り込み線である。使用者は、この切り込み線を破断することによって取出口を形成することができ、その取出口から衛生用紙を取り出すことが可能となる。
【００５１】
衛生用紙の取出口の外周形状について特に制限はなく、衛生用紙収納用カートンや衛生用紙の形状に応じて適宜選択すればよい。但し、衛生用紙収納用カートンとしては直方体状のものが多く用いられるため、その取出口の形状は衛生用紙収納用カートンの長手方向に沿った横長形状とすることが好ましい。従って、取出口の外周形状としては、例えば、略長方形状、略長円形状、長楕円形状、菱形状、又は多角形状等の形状を挙げることができる。例えば、図１〜図３に示す衛生用紙収納用カートン１は、略長方形状の取出口形成用切り込み線１４が形成されている例である。
【００５２】
取出口形成用切り込み線は、通常、図１〜図３に示す衛生用紙収納用カートン１のように、衛生用紙収納用カートン１の上面２に形成されることが多いが、特にそのような制限があるわけではない。例えば、衛生用紙収納用カートンの底面や側面に形成されていてもよい。また、取出口形成用切り込み線は一の面のみに形成されていなければならないわけではなく、二以上の面（例えば、上面と底面）に形成されていてもよい。
【００５３】
なお、取出口形成用切り込み線によって包囲された部分（切取片となる部分）には、取出口形成用切り込み線の二点を繋ぐように、引剥がし用切り込み線が形成されていてもよい。このような切り込み線を形成することで、切取片の引き剥がしが容易となる利点がある。例えば、図１〜図３に示す衛生用紙収納用カートン１は、略長方形状の取出口形成用切り込み線１４の端部側に、略Ｕ字状の引剥がし用切り込み線５２が形成されている例である。
【００５４】
上記の取出口用切込線、引剥がし用切込線は、直線状の切れ目（スリット）であってもよいし、部分的につながりを有するミシン目状のものであってもよい。また、包装業界でジッパーと呼称されている切れ目が鉤形に屈曲した開封用破断線（包装産業の周知・慣用技術集第２８１頁参照、昭和５３年１２月２０日特許庁発行）や、２重線のミシン目であってもよい。例えば、図１〜図３に示す衛生用紙収納用カートン１は、取出口形成用切り込み線１４のうち、引剥がし用切り込み線５２より内側の部分を、２重線のミシン目とした例である。
【００５５】
また、本発明の衛生用紙収納用カートンにおいては、底面に一対の押上片を形成するための押上片形成用切り込み線を形成することも好ましい形態の一つである。衛生用紙収納用カートンの内部空間に収納された衛生用紙の残量が少なくなった際に、底面に形成された押上片形成用切り込み線を押圧して押し破り、衛生用紙収納用カートンの内側に折り曲げることによって、一対の押上片を形成する。この押上片によって、衛生用紙収納用カートンに収納された衛生用紙が上面側に押し上げられるので、上面の取出口から衛生用紙の最後の一枚まで、安定してポップアップさせることが可能である。例えば、図３に示すカートンブランク１００は、底面４の中央部にＵ字状の押上片形成用切り込み線５４が一対形成された例である。
【００５６】
［１−３］フィルムレスカートン：
本発明の衛生用紙収納用カートンは、取出口を形成する面の内側に、取出口を被覆するウインドウフィルムが配設されていないフィルムレスカートンであることが好ましい。
【００５７】
「ウインドウフィルム」とは、取出口形成用切り込み線が形成された面の裏側から上記取出口形成用切り込み線を被覆するように配置され、衛生用紙を取り出すためのスリットが形成されたフィルム材である。なお、通常、取出口形成用切り込み線は、衛生用紙入りカートンの上面に形成されることが多いため、ウインドウフィルムは配置される場合には、上面の裏側から取出口形成用切り込み線を被覆するように配置されることが多い。
【００５８】
本発明の衛生用紙収納用カートンの妻面は、ロック式フラップが係合されて形成されていることから、使用済みの衛生用紙収納用カートンを廃棄する際には、妻面を構成するロック式フラップの係合を簡便に解除することができるため、上記したように、本発明の衛生用紙収納用カートンをフィルムレスカートンとすることにより、廃棄時に紙製カートンとフィルムの分別作業が必要なくなり、カートンの廃棄がより簡便になる。また、ウインドウフィルムをなくすことにより、材料費の節約に留まらず、製造工程が短縮でき、省エネルギー、省資源を達成することができる。
【００５９】
［１−４］ウインドウフィルム付きカートン：
本発明の衛生用紙収納用カートンは、取出口形成用切り込み線が形成された面の裏側から取出口形成用切り込み線を被覆するように上記したウインドウフィルムが配置されたものであってもよい。
【００６０】
ウインドウフィルムは、その構成材料は特に制限されないが、例えば、ポリエチレン、ポリプロピレン、ポリ塩化ビニル、ポリエステル、ポリビニルアルコール等のプラスチック；グラシン紙、クラフト紙、ケント紙、インディア紙等の印刷用紙、書道用紙、包装紙、加工原紙等の紙；等を好適に用いることができる。また、上記プラスチックとしては、生分解性プラスチックを用いてもよい。
【００６１】
また、ウインドウフィルムは、取出口形成用切り込み線が形成された面の裏側から取出口形成用切り込み線を被覆することができる限りにおいて、どのような形状のものであってもよい。但し、取出口の形状として横長形状のものが汎用されることから、その形状に対応し易い長方形状のフィルムを用いることが好ましい。
【００６２】
［２］衛生用紙入りカートン：
次に、本発明の衛生用紙入りカートンの一の実施形態について説明する。本発明の衛生用紙入りカートンは、これまでに説明した本発明の衛生用紙収納用カートンと、この衛生用紙収納用カートンの内部空間に収納された衛生用紙の束とを備えた衛生用紙入りカートンである。
【００６３】
［２−１］衛生用紙収納用カートン：
本発明の衛生用紙入りカートンに用いられる衛生用紙収納用カートンとしては、これまでに説明した本発明の衛生用紙収納用カートンと同様に構成された衛生用紙収納用カートン、即ち、例えば、図１に示すような、上面２、底面４、一対の側面６（６ａ，６ｂ）、及び一対の妻面８（８ａ，８ｂ）を有する形状に折り曲げられ、これらの面によって区画された、衛生用紙の束を収納し得る内部空間が形成された箱状をなすとともに、衛生用紙の取出口２４の外周形状と一致するように取出口形成用切り込み線１４が形成された衛生用紙収納用カートン１であって、上面２、底面４、及び一対の側面６（６ａ，６ｂ）のそれぞれの端縁から延出された４つのロック式フラップ２６（２６ａ，２６ｂ，２６ｃ，２６ｄ）を備え、その４つのロック式フラップ２６が内側に折り曲げられ、重なり合う状態で係合されることによって妻面８が形成されている衛生用紙収納用カートン１を用いることができる。
【００６４】
このように、本発明の衛生用紙入りカートンに用いられる衛生用紙収納用カートンは、カートンの妻面が接着剤によって接合されておらず、内側に折り曲げられた４つのロック式フラップが重なり合う状態で係合されることによって妻面が形成されているため、カートンの製造が簡便であるとともに、容易に解体することができる。
【００６５】
このため、例えば、使用済みの空のカートンを廃棄する際には、妻面を形成するロック式フラップの係合部分を解除することにより、カートンの妻面を容易に開放することができ、簡単に使用済みのカートンを折り畳んで廃棄することができる。また、妻面を形成する際に接着剤を使用しないため、製造時の接着剤の使用量を少なくすることができ、低コストに且つ簡単な設備で製造することができる。
【００６６】
また、従来のカートンのように、妻面が接着剤等によって接合されていないため、ロック式フラップを損傷させることなく係合部分を解除することができ、例えば、妻面を開放した使用済みのカートンの内部空間に、詰め替え用の衛生用紙の束を収納し、再度ロック式フラップを係合させることによって、カートンの再使用が可能となる。
【００６７】
［２−２］衛生用紙：
本発明の衛生用紙入りカートンに用いられる衛生用紙の種類について特に制限はなく、例えば、ティシュペーパー、保湿ティシュ、ちり紙、ペーパータオル、トイレットペーパー、ワッティング等の使い捨て紙等を挙げることができる。本発明の衛生用紙入りカートンにおいては、このような衛生用紙が折り畳まれて、束の状態で衛生用紙収納用カートンの内部空間に収納されている。
【００６８】
中でも、いわゆるポップアップ方式と呼ばれる状態で複数枚の衛生用紙が連続的に積層され、衛生用紙収納用カートンの内部空間に収納されていることが好ましい。
【００６９】
本発明の衛生用紙入りカートンに用いられる衛生用紙の束は柔軟性を有するものであることから、妻面を形成する４つのロック式フラップを開放した衛生用紙収納用カートン（角筒状カートン）の内部空間に衛生用紙の束を収納し、４つのロック式フラップを内側に折り曲げて、更にその重なり合った部位を内側に押し込むことによって、４つのロック式フラップを簡便に係合させて妻面を形成することができる。
【００７０】
［３］衛生用紙入りカートンの製造方法：
本発明の衛生用紙入りカートンの製造方法は、上記した本発明の衛生用紙入りカートン、即ち、上面、底面、一対の側面、及び一対の妻面を有する形状に折り曲げられ、これらの面によって区画された、衛生用紙の束を収納し得る内部空間が形成された箱状をなすとともに、衛生用紙の取出口の外周形状と一致するように取出口形成用切り込み線が形成された衛生用紙収納用カートンと、衛生用紙収納用カートンの内部空間に収納された衛生用紙の束とを備えた衛生用紙入りカートンを製造する方法である。
【００７１】
本発明の衛生用紙入りカートンの製造方法は、図２に示すような、上面２、底面４、及び一対の側面６（６ａ，６ｂ）を有するとともに、上面２と底面４と一対の側面６ａ，６ｂのそれぞれの端縁から４つのロック式フラップ２６（２６ａ，２６ｂ，２６ｃ，２６ｄ）が延出された角筒状カートン１０１を形成する工程（以下、「工程（Ａ）」ということがある）と、角筒状カートン１０１の開放された妻面側から衛生用紙の束１０３を挿入して、角筒状カートン１０１の内部空間に衛生用紙の束１０３を収納する工程（以下、工程（Ｂ）ということがある）と、図４の（ａ）〜（ｅ）に示すように、衛生用紙の束１０３を収納した角筒状カートン１０１の４つのロック式フラップ２６ａ，２６ｂ，２６ｃ，２６ｄを内側に折り曲げて、４つのロック式フラップ２６ａ，２６ｂ，２６ｃ，２６ｄの重なり合った部位を、角筒状カートン１０１の内側に押し込むことによって４つのロック式フラップ２６ａ，２６ｂ，２６ｃ，２６ｄを係合させて妻面８を形成する工程（以下、工程（Ｃ）ということがある）と、を備えた衛生用紙入りカートンの製造方法である。
【００７２】
このように構成することによって、角筒状カートンの内部空間に衛生用紙の束を収納した状態で、４つのロック式フラップを簡便且つ確実に係合させて妻面を形成することができ、衛生用紙入りカートンを簡便且つ低コストに製造することができる。以下、本発明の衛生用紙入りカートンの製造方法の各工程を更に具体的に説明する。
【００７３】
［３−１］工程（Ａ）：
工程（Ａ）は、図２に示すような、上面２、底面４、及び一対の側面６ａ，６ｂを有するとともに、上面２と底面４と一対の側面６ａ，６ｂのそれぞれの端縁から４つのロック式フラップ２６（２６ａ，２６ｂ，２６ｃ，２６ｄ）が延出された角筒状カートン１０１を形成する工程である。
【００７４】
「角筒状カートン」とは、上面、底面、及び一対の側面を有する形状に折り曲げられ、これらの面によって区画された、内部空間が形成された筒状のものをいう。例えば、図２に示す角筒状カートン１０１は、上面２、底面３、及び一対の側面６を有する形状に折り曲げ、一対の妻面８ａ，８ｂ（図１参照）の両方を開放している例である。即ち、角筒状カートンは、衛生用紙入りカートンの妻面を開放させた（妻面を形成していない）形状のものをいう。なお、本明細書において「角筒状カートン」というときは、一対の妻面の両方を開放させたものに限らず、一方の妻面のみを開放させたものも含むものとする。
【００７５】
このような角筒状カートン１０１は、例えば、図３に示すような、一枚の紙材料によって、折曲線を介して上面２、底面４、一対の側面６（６ａ，６ｂ）が形成され、上面２、底面４、一対の側面６ａ，６ｂのそれぞれの端縁からは、折曲線を介して４つのロック式フラップ２６（２６ａ，２６ｂ，２６ｃ，２６ｄ）が延出されているカートンブランク１００を用いて形成することができる。なお、このカートンブランク１００には、底面４の一の側縁部からは、折曲線を介して、側面接合代３２が延出されている。なお、このロック式フラップ２６は、上面２、底面４、一対の側面６ａ，６ｂのそれぞれの両端縁から延出されているため、１つのカートンブランク１００に、合計８つのロック式フラップ２６が形成されている。
【００７６】
工程（Ａ）においては、このようなカートンブランク１００の、各折曲線を折り曲げ、側面接合代３２と側面６を接合して角筒状カートン１０１（図２参照）を形成する。なお、側面接合代３２と側面６を接合する際には、例えば、ホットメルト接着剤等の従来公知の接着剤を用いて接合することができる。
【００７７】
角筒状カートンの４つのロック式フラップの形状については、接着剤等を使わないで、４つのフラップを係合（ロック）させて妻面を形成することができるものであれば特に制限はないが、例えば、図２に示すように、４つのロック式フラップ２６のうちの少なくとも一のロック式フラップ２６ａが、その先端部に係合用の突出片３４を有する角筒状カートン１０１を形成することが好ましい。このような角筒状カートン１０１を形成した場合には、角筒状カートン１０１の他のロック式フラップ２６ｂ，２６ｃ，２６ｄを内側に折り曲げ、折り曲げた他のロック式フラップ２６ｂ，２６ｃ，２６ｄの外側に一のロック式フラップ２６ａを重なり合うように折り曲げて、一のロック式フラップ２６ａの突出片３４を角筒状カートン１０１の内側に押し込むことにより突出片３４を他のロック式フラップ２６ｂ，２６ｃ，２６ｄの裏側に挿入させて、４つのロック式フラップ２６を係合させて妻面８（図１参照）を形成する。
【００７８】
このように、４つのロック式フラップのうちの少なくとも一のロック式フラップが、上記した突出片等のロック機構を有していれば、例えば、それ以外の他のロック式フラップが特別なロック機構を有していない場合であっても、一のロック式フラップのロック機構によって他のロック式フラップが外側から抑え付けられて固定されるため、簡易な構造でありながら４つのロック式フラップを強固に係合させることができる。
【００７９】
また、このようなロック式フラップは、角筒状カートンの形状、特に、その内部空間の形状を変形させることなく、４つのロック式フラップを係合させることができるため、その内部空間に衛生用紙の束を収納した状態であっても、４つのロック式フラップを係合させて良好に妻面を形成することができる。
【００８０】
なお、本発明の衛生用紙入りカートンの製造方法においては、図２に示すように、４つのロック式フラップ２６が、上面２、底面４、及び一対の側面６ａ，６ｂのうちの一の面（図２においては、上面２）から延出され、その先端部に上記突出片３４を有する第一のロック式フラップ２６ａと、一の面（上面２）に相対向する面（図２においては、底面４）から延出され、第一のロック式フラップ２６ａの突出片３４を挿入するための切り欠き部３５が形成された第二のロック式フラップ２６ｂと、一の面（上面２）に隣接する二つの面（図２においては、一対の側面６ａ，６ｂ）から延出される第三のロック式フラップ２６ｃ及び第四のロック式フラップ２６ｄと、からなる角筒状カートン１０１を形成してもよい。また、このように構成する場合には、上記した第三及び第四のロック式フラップ２６ｃ，２６ｄは、その先端部に鉤状の係止片３６が形成されたものであってもよい。
【００８１】
［３−２］工程（Ｂ）：
工程（Ｂ）は、図２に示すように、角筒状カートン１０１の開放された妻面側から衛生用紙の束１０３を挿入して、角筒状カートン１０１の内部空間に衛生用紙の束１０３を収納する工程である。
【００８２】
衛生用紙の束は、例えば、一の衛生用紙が折り畳まれ、その折り返し部分に他の衛生用紙が挟み込まれた状態で折り畳まれることによって、複数枚の衛生用紙が連続的に積層されたものを好適に用いることができる。このような積層構造の衛生用紙は、最上層の衛生用紙を取り出すことにより、これに挟み込まれていた次層の衛生用紙の一部が取出口から突出し、衛生用紙の取り出しが容易なものとなる利点がある。また、衛生用紙の種類について特に制限はなく、例えば、ティシュペーパー、保湿ティシュ、ちり紙、ペーパータオル、トイレットペーパー、ワッティング等の使い捨て紙等を挙げることができる。
【００８３】
本発明の衛生用紙入りカートンの製造方法においては、角筒状カートンに衛生用紙の束を挿入する際、衛生用紙の束を挿入する側とは反対側の妻面は開放していてもよいし、４つのロック式フラップを係合させて予め妻面を形成していてもよい。
【００８４】
なお、この工程（Ｂ）は、従来の衛生用紙入りカートンの製造方法における、角筒状カートンの内部空間に衛生用紙の束を収納する工程に準じて行うことができる。
【００８５】
［３−３］工程（Ｃ）：
工程（Ｃ）は、図４の（ａ）〜（ｅ）に示すように、衛生用紙の束１０３を収納した角筒状カートン１０１の４つのロック式フラップ２６ａ，２６ｂ，２６ｃ，２６ｄを内側に折り曲げて、図５に示すような、４つのロック式フラップ２６ａ，２６ｂ，２６ｃ，２６ｄの重なり合った部位３０を、角筒状カートン１０１の内側に押し込むことによって４つのロック式フラップ２６ａ，２６ｂ，２６ｃ，２６ｄを係合させて妻面８（図１参照）を形成する工程である。
【００８６】
本発明の衛生用紙入りカートンの製造方法においては、上記したように、４つのロック式フラップ２６のうちの少なくとも一のロック式フラップ２６ａが、その先端部に係合用の突出片３４を有している場合には、４つのロック式フラップ２６ａ，２６ｂ，２６ｃ，２６ｄの重なり合った部位３０が、一のロック式フラップ２６ａの突出片３４が配置される部位に相当し、この突出片３４を含む部位を角筒状カートン１０１の内側に押し込むことによって、一のロック式フラップ２６ａの突出片３４が他のロック式フラップ２６ｂ，２６ｃ，２６ｄの裏側にまで押し込まれて、４つのロック式フラップ２６ａ，２６ｂ，２６ｃ，２６ｄが係合される。
【００８７】
このように構成することによって、４つのロック式フラップを簡便且つ強固に係合させることができる。また、４つのロック式フラップの係合を解除する際には、一のロック式フラップの突出片を引き抜くだけで、簡便に解除することができる。
【００８８】
なお、この４つのロック式フラップ２６が、上記した第一〜第四のロック式フラップ２６ａ，２６ｂ，２６ｃ，２６ｄからなる場合には、図４の（ａ）及び（ｂ）に示すように、まず、第二のロック式フラップ２６ｂを内側に折り曲げ、図４の（ｃ）及び（ｄ）に示すように、折り曲げた第二のロック式フラップ２６ｂの外側に、第三及び第四のロック式フラップ２６ｃ，２６ｄ、次いで、第一のロック式フラップ２６ａの順番で折り曲げて、折り曲げた第一のロック式フラップ２６ａの突出片３４を角筒状カートン１０１の内側に押し込むことにより突出片３４を第二のロック式フラップ２６ｂの切り欠き部３５から第二のロック式フラップ２６ｂの裏側に挿入させて、４つのロック式フラップ２６ａ，２６ｂ，２６ｃ，２６ｄを係合させて妻面８（図１参照）を形成する。
【００８９】
具体的には、第一のロック式フラップ２６ａの突出片３４を角筒状カートン１０１の内側に押し込むことにより、第一のロック式フラップ２６ａの内側に折り曲げられている第二〜第四のロック式フラップ２６ｂ，２６ｃ，２６ｄも内側に一端押し込まれるか或いはこれらが弾性的に変形することにより、第一のロック式フラップ２６ａの突出片３４が切り欠き部３５の先端を乗り越えて第二のロック式フラップ２６ｂの裏側に配置されて、４つのロック式フラップ２６ａ，２６ｂ，２６ｃ，２６ｄが係合される。
【００９０】
なお、第三及び第四のロック式フラップ２６ｃ，２６ｄの先端部に鉤状の係止片３６が形成されている場合には、第一のロック式フラップ２６ａの突出片３４を角筒状カートン１０１の内側に押し込む前又は押し込む際に、係止片３６を第二のロック式フラップ２６ｂの裏側に挿入して係止させて第三及び第四のロック式フラップ２６ｃ，２６ｄを固定する。例えば、突出片３４を角筒状カートン１０１の内側に押し込む際に、この係止片３６が、突出片３４とともに角筒状カートン１０１の内側に押し込まれて、第二のロック式フラップ２６ｂの裏側に挿入される。
【００９１】
なお、ロック式フラップの重なり合った部位を角筒状カートンの内側に押し込む方法については特に制限はないが、例えば、図６に示すように、楕円型や卵型のカム１０５を角筒状カートン１０１の４つのロック式フラップ２６ａ，２６ｂ，２６ｃ，２６ｄの重なり合った部位、例えば、ロック式フラップ２６ａの突出片３４（図５参照）が配置される部位に押し当てて、このカム１０５に接続されたローター１０６を回転させて、このカム１０５の突出した部分によって、４つのロック式フラップ２６ａ，２６ｂ，２６ｃ，２６ｄの重なり合った部位３０（図５参照）を押し込む方法を挙げることができる。このように構成することによって、４つのロック式フラップ２６を傷つけることなく簡便に係合させることができる。
【００９２】
また、例えば、図７に示すように、その先端部に、４つのロック式フラップ２６ａ，２６ｂ，２６ｃ，２６ｄの重なり合った部位３０（図５参照）を押し込むための押し込み部１０７が接続されたピストン状に駆動するシリンダ１０８を用いて、ロック式フラップの重なり合った部位を角筒状カートン１０１の内側に押し込んでもよい。
【００９３】
なお、ロック式フラップの重なり合った部位を押し込むことによって妻面を形成する際には、図６及び図７に示すように、一方の妻面側毎に、４つのロック式フラップを内側に折り曲げて、その重なり合った部位を押し込んで妻面を形成してもよいが、例えば、図示は省略するが、両方の妻面を形成するそれぞれのロック式フラップを同時又は順番に内側に折り曲げた後、角筒状カートンの両方の妻面側から、それぞれのロック式フラップの重なり合った部位を同時に押し込むことによって一対の妻面を形成してもよい。
【産業上の利用可能性】
【００９４】
本発明の衛生用紙収納用カートンは、ティシュペーパー、キッチンペーパー等のペーパータオル、シート状のトイレットペーパー、ワッティング（紙綿）等の衛生用紙を収納するためのカートンとして、好適に用いることができる。また、本発明の衛生用紙入りカートンは、上記した衛生用紙を収納したカートンとして、好適に用いることができる。
【図面の簡単な説明】
【００９５】
【図１】本発明の衛生用紙収納用カートンの一の実施形態を示す斜視図である。
【図２】図１に示す衛生用紙収納用カートンに衛生用紙の束を収納する工程を示す斜視図である。
【図３】本発明の衛生用紙収納用カートンの一の実施形態を示す図であり、衛生用紙収納用カートンを組み立てる前のカートンブランクの状態の展開図である。
【図４】本発明の衛生用紙収納用カートンの一の実施形態における、４つのロック式フラップを係合させる工程を説明する図であり、カートンの妻面側を示す平面図である。
【図５】本発明の衛生用紙入りカートンの製造方法の一の実施形態における、４つのロック式フラップを内側に折り曲げた角筒状カートンを示す斜視図である。
【図６】本発明の衛生用紙入りカートンの製造方法の一の実施形態における、４つのロック式フラップの重なり合った部位を押し込む工程の一例を示す平面図であり、カートンの上面を示す図である。
【図７】本発明の衛生用紙入りカートンの製造方法の一の実施形態における、４つのロック式フラップの重なり合った部位を押し込む工程の他の例を示す平面図であり、カートンの上面を示す図である。
【図８】従来のティシュペーパー収納箱を示す斜視図である。
【符号の説明】
【００９６】
１：衛生用紙収納用カートン、２：上面、４：底面、６，６ａ，６ｂ：側面、８，８ａ，８ｂ：妻面、１４：取出口形成用切り込み線、２４：取出口、２６：ロック式プラップ、２６ａ：ロック式プラップ（第一のロック式プラップ）、２６ｂ：ロック式プラップ（第二のロック式プラップ）、２６ｃ：ロック式プラップ（第三のロック式プラップ）、２６ｄ：ロック式プラップ（第四のロック式プラップ）、３０：ロック式フラップの重なり合った部位、３２：側面接合代、３４：突出片、３５：切り欠き部、３６：係止片、５２：引剥がし用切込線、５４：押上片形成用切込線、１００：カートンブランク、１０１：角筒状カートン、１０３：衛生用紙の束、１０５：カム、１０６：ローター、１０７：押し込み部、１０８：シリンダ、１２０：ティッシュペーパー収納箱、１２１：天板、１２２：底板、１２３：側板、１２４取出口、１２５ａ，１２５ｂ：外フラップ、１２６ａ，１２６ｂ：折曲げ線、１２８：解体用ミシン線、ｇ：接着剤。
【図１】
2008127065.tif 000003
【図２】
2008127065.tif 000004
【図３】
2008127065.tif 000005
【図４】
2008127065.tif 000006
【図５】
2008127065.tif 000007
【図６】
2008127065.tif 000008
【図７】
2008127065.tif 000009
【図８】
2008127065.tif 000010